(57)【要約】      （修正有）【課題】適切な分離を保証しつつ、有効な入場許可がある場合や非常時においては通路全体を同時に開放する少なくとも一つの遮断体を有する、人や車用の入場管理装置を提供する。【解決手段】通路２を遮断または開放する、人または車用の入場管理装置１は、それぞれが担持部４に配置される一つまたは二つの遮断体３を有し、前記遮断体３はそれぞれ機械的に可逆変形可能な要素５を有し、前記要素５は、第一位置においては実質的に平面状であって完全に前記通路２を開放し、第二位置においては曲面形状を有し、前記通路２を部分的に遮断し、前記要素５の一端部または両端部はそれぞれ作動装置７に接続され、前記作動装置７は各担持部４に接続されて制御可能であり、前記要素５は第一位置から第二位置へ移動するために、前記各遮断体３の端部間の距離が減少され、または前記各遮断体３の端部間が一定の距離にある場合、前記遮断体３の長さが増加される。【選択図】図１
2020107326.tif 000002
【特許請求の範囲】
【請求項１】
通路（２）を遮断または開放する、人または車用の入場管理装置 （１）であって、それぞれが担持部（４、４’）に配置される一つまたは二つの遮断体（３、３’）を有し、前記遮断体（３、３’）はそれぞれ機械的に可逆変形可能な要素（５、５’）を有し、前記要素（５、５’）は、第一位置においては実質的に平面状であって完全に前記通路（２）を開放し、第二位置においては、曲面形状を有し、一つの遮断体が設けられる場合は前記通路（２）を遮断し、二つの遮断体が設けられる場合は両遮断体の組み合わせにより前記通路を遮断するよう前記通路を部分的に遮断し、前記機械的に可逆変形可能な要素（５、５’）の一端部または両端部はそれぞれ作動装置（７）に接続または作動接続され、前記作動装置（７）は各担持部（４、４’）に接続されて制御装置によって制御可能であり、前記制御装置（７）の制御によって前記機械的に可逆変形可能な要素 （５、５’）は前記第一位置から前記第二位置へおよびその逆へ移動され、前記機械的に可逆変形可能な要素 （５、５’）を前記第一位置から前記第二位置へ移動するために、前記各遮断体（３、３’）の前記端部間の距離が減少され、または前記各遮断体（３、３’）の前記端部間が一定の距離にある場合、前記遮断体（３、３’）の長さが増加される。
【請求項２】
前記機械的に可逆変形可能な要素（５、５’）は単一または多層の板ばねとして、丸ばねとして、または弾性的または非弾性的に互いにヒンジ状に接続されるよう設計される同じまたは異なる長さを有する複数の独立した輪からなる要素として、設計され、前記機械的に可逆変形可能な要素（５、５’）が単一または多層の板ばねとして設計される場合、板ばねとして設計される要素の面法線は、前記第一位置において、前記通路の面および前記通路の方向に対して垂直に伸びる面に平行に伸びることを特徴とする、請求項１に記載の入場管理装置 （１）。
【請求項３】
二つの遮断体（３、３’）が提供され、各担持部（４、４’）がそれぞれ前記通路（２）の一方側と他方側に、前記通路（２）の長手軸中心に鏡面対称に配置されることを特徴とする、請求項１または２に記載の入場管理装置（１）。
【請求項４】
前記各機械的に可逆変形可能な要素（５、５’）の両端部はそれぞれ作動装置（７）に接続され、または前記各機械的に可逆変形可能な要素（５、５’）の一端部が作動装置（７）に接続され、他端部はヒンジ（８）によって前記担持部（４、４’）に接続され、前記各遮断体（３、３’）の長さは前記二つの作動装置の間または前記作動装置と前記ヒンジ（８）の間における前記各機械的に可逆変形可能な要素（５、５’）の長さに対応することを特徴とする、請求項１、２または３に記載の入場管理装置（１）。
【請求項５】
前記各機械的に可逆変形可能な要素（５、５’）の一端部がそれぞれ作動装置（７）に接続されまたはヒンジ（８）によって前記担持部（４、４’）に接続され、他端部はヒンジ状に非弾性要素（１０）の一端部に接続され、前記非弾性要素（１０）の他端部が作動装置に接続され、前記各遮断体の長さが、前記各機械的に可逆変形可能な要素の長さに前記非弾性要素の長さを足したものに対応することを特徴とする、請求項１、２または３に記載の入場管理装置（１）。
【請求項６】
前記各作動装置（７）は、前記第一位置にある前記各機械的に可逆変形可能な要素（５、５’）の長手軸に平行な方向に沿って、液圧、空気圧、電気または電磁気により軸方向に変位可能な部品であることを特徴とする、請求項４または５に記載の入場管理装置（１）。
【請求項７】
前記各機械的に可逆変形可能な要素（５、５’）は単一または多層の板ばねとして設計され、前記各作動装置（７）は、板ばねとして設計される前記要素（５、５’）の各端部が巻き上げられおよび板ばねとして設計される前記要素（５、５’）の各端部が巻き出される電動ローラ（９）であることを特徴とする、請求項４に記載の入場管理装置（１）。
【請求項８】
前記各機械的に可逆変形可能な要素（５、５’）は単一または多層の板ばねとして設計され、前記板ばねとして設計される各要素（５、５’）に接続される作動装置（７）は、ばね板として設計される前記要素（５、５’）の各端部を巻き上げ可能かつ板ばねとして設計される前記要素（５、５’）の各端部を巻き出し可能な電動ローラ（９）であり、前記非弾性要素（１０）に接続される前記各作動装置（７）は、前記第一位置にある前記各板ばね要素（５、５’）の長手軸に平行な方向に沿って、液圧、空気圧、電気または電磁気により軸方向に変位可能な部品であることを特徴とする、請求項５に記載の入場管理装置（１）。
【請求項９】
板ばねとして設計される前記各要素（５、５’）の前記面法線は、前記第一位置において、前記通路面に平行または垂直に伸びることを特徴とする、前記請求項２から８のいずれか一項に記載の入場管理装置（１）。
【請求項１０】
前記各機械的に可逆変形可能な要素（５、５’）は、ゴム、金属、ガラス繊維強化プラスチックまたは積層プラスチックからなり、人の平均以上の力によって前記要素を曲げることは不可能であるねじり剛性を有し、前記非弾性要素（１０）は金属またはプラスチックからなることを特徴とする、前記各請求項のいずれか一項に記載の入場管理装置（１）。
【請求項１１】
板ばねとして設計される前記各機械的に可逆変形可能な要素（５、５’）の前記担持部（４、４’）を向いた面は、前記第一位置において、前記担持部に対して凸状であることを特徴とする、前記請求項２から８のいずれか一項に記載の入場管理装置（１）。
【請求項１２】
照明手段が前記各機械的に可逆変形可能な要素（５、５’）に組み込まれることを特徴とする、前記各請求項のいずれか一項に記載の入場管理装置（１）。
【請求項１３】
前記機械的に可逆変形可能な要素（５、５’）は、前記第二位置において、円弧または楕円弧形状を有することを特徴とする、前記各請求項のいずれか一項に記載の入場管理装置 （１）。
【請求項１４】
前記機械的に可逆変形可能な要素（５、５’）の前記長手軸は、前記第一位置において、前記通路面に対して垂直または平行に伸びることを特徴とする、前記各請求項のいずれか一項に記載の入場管理装置（１）。
【請求項１５】
前記入場管理装置（１）は追加の遮断体を有し、担持部（４、４’）において、複数の遮断体が上下に配置され、それぞれ異なる高さで前記通路（２）を遮断することを特徴とする、前記各請求項のいずれか一項に記載の入場管理装置（１）。
【発明の詳細な説明】
【技術分野】
【０００１】
本発明は、請求項１の前文の記載に係る、人または車用の入場管理装置に関する。
【背景技術】
【０００２】
複数の人に対する入場管理装置が従来から知られている。入場管理装置は、入場許可を好ましくは非接触検出および評価する手段、および回転式改札口、一つ、二つまたは三つの遮断アームを有する回転式改札口、引き戸、持ち上げ戸またはいわゆるフラップゲート型の機械式またはその他の遮断体からなり、遮断体は有効な入場許可が提示されたときにのみ、自動的にまたは手動で作動される。車用の入場管理装置は遮断体を有し、遮断体は通常、ゲート柱、ゲート張り出し棒およびゲート張り出し棒を遮断位置と開放位置の間で回転させるための駆動を含む、自動車用ゲートとして設計される。
【発明の概要】
【発明が解決しようとする課題】
【０００３】
所望の快適さおよびまたは所望の安全保障レベルによって、適切な遮断体が選択される。三つの遮断アームを有する回転式改札口においては、遮断アーム同士が固定角度にあることから、例えば荷物やベビーカーを三つの遮断アームのうちの一つの上を通過させるよう持ち上げる必要があるため、通過する際の快適さが損なわれる。しかしながら、通過する際に人は必ず二つのゲートアームの間に位置するため、この方式は十分な閉鎖および分離効果を保証するという利点を有する。このような遮断体は、しばしばスタジアムやスキー場における入場管理装置に採用される。加えて、二つの隣接する遮断アームの長手軸間の角度は通常１２０度であり、一つの遮断アームが常に通路内に突出することから、通路全体を開放することはできない。しかしながら、人は必ず二つの遮断アームの間を通過するため、三つの遮断アームを有する回転式改札口は十分な閉鎖および分離効果を保証するという利点を有する。
【０００４】
さらに、電動モータによって駆動される軸に回転可能に接続される二つの遮断アームを有する回転式改札口が知られているが、前述した三つの遮断アームを有する回転式改札口の欠点を解消するものではない。むしろ、安全な分離が損なわれる。さらに、一つの遮断アームを有する回転式改札口が知られている。該遮断アームは分離を保証するため、通路を開放する一方で分離を保証するために、非常に早く動くが、それにより歩いて通過する人が怪我をする危険が高まる。さらに、一つの遮断アームの質量が高い回転速度を有することから、不利なことに摩損が促進されてしまう。一つの遮断アームが一回の通過毎に３６０度回転しなければならないことから、回転スピードは高くなってしまう。
【０００５】
加えて、従来から知られている二つまたは三つの遮断アームを有する回転式改札口は、非常時に、またはシステムが作動中止になった際に、通路全体を開放することができないという欠点を有する。
【０００６】
さらに、使用される遮断体は、入場管理装置のタイプに依存する。例えば冬のスキーリゾートに設置される入場管理装置は安全な分離を保証すべきだが、夏には、自転車通行者やハイカーなどが快適に入場できるほうがよい。
【０００７】
本発明は、適切な分離を保証しつつ、有効な入場許可がある場合や非常時においては通路全体を同時に開放する少なくとも一つの遮断体を有する、人や車用の入場管理装置を提供することを目的とする。さらに、遮断体の遮断位置から開放位置へおよびその逆への移動は素早く行われる必要があり、好ましくは最長で２秒以内に行われる。加えて、本発明に係る入場管理装置は小型に設計され、設置スペースは小さくてよい。
【課題を解決するための手段】
【０００８】
この目的は、請求項１に記載の特徴によって解決される。本発明のさらなる実施形態や利点は、付属項により明らかにされる。
【０００９】
本発明により、通路を遮断または開放する、人または車用の入場管理装置が提供され、該入場管理装置は、それぞれが担持部に配置される一つまたは二つの遮断体を有し、この遮断体はそれぞれ、例えば単一または多層の板ばねとしてまたは棒状の丸ばねとしての、機械的に可逆変形可能な要素を有し、通路に面する該要素の面は、第一位置においては実質的に平面状であって通路を完全に開放し、第二位置においては、例えば円弧または楕円弧形状などの曲面形状を有し、一つの遮断体が設けられる場合、前記通路を遮断する。
【００１０】
二つの遮断体を有する場合、二つの遮断体の組み合わせによって通路が遮断されるよう、それぞれの遮断体により通路が部分的に遮断される。
【００１１】
遮断体は通路面に対して任意に配置することができる。
【００１２】
本発明の一実施形態によると、板ばねとして設計される各機械的に可逆変形可能な要素の面法線は、第一位置において、通路面および通路方向に対して垂直な面に平行に伸びる。特に、板ばねとして設計される各要素の面法線は、第一位置において、通路面に対して平行もしくは垂直に伸びてよい。
【００１３】
第一位置にある機械的に可逆変形可能な要素の各長手軸は、例えば、通路面に対して垂直、平行またはどのような角度で伸びてもよい。
【００１４】
さらに、各機械的に可逆変形可能な要素の一端部または両端部はそれぞれ作動装置に接続または作動接続され、各作動装置は各担持部に接続され制御装置によって制御可能であり、制御により機械的に可逆変形可能な要素は第一位置から第二位置へおよびその逆へ移動され、機械的に可逆変形可能な要素を第一位置から第二位置へ移動するために、各遮断体の端部間の距離は減少し、または各遮断体の端部同士が一定の距離にある場合は遮断体の長さが増加される。
【００１５】
各作動装置は、第一位置にある機械的に可逆変形可能な要素の長手軸に平行な方向に沿って液圧、空気圧、電気または電磁気により軸方向に変位可能な部品であってよく、各遮断体の端部間の距離が変化する。例えば、作動装置は電動モータであってよく、電動モータのロータによって、担持部に備えられたラック歯車と噛み合う歯車を駆動する。
【００１６】
遮断体の端部間が一定の距離にある場合に、各遮断体の長さを変えるため、各作動装置は、板ばねとして設計される機械的に可逆変形可能な要素の各端部が、板ばねとして設計される要素の各端部から巻き上げられまた巻き出される電動ローラとして設計される。さらなる実施形態によると、ローラをさらなる作動装置によって軸方向に変位可能なように設計することにより、二つの位置の間の変化を加速させてもよい。
【００１７】
二つの遮断体が備えられる場合、各担持部は、例えばそれぞれ通路の一方側と他方側に、通路の長手軸中心に対して鏡面対称に配置される。
【００１８】
本発明によると、各機械的に可逆変形可能な要素の両端部はそれぞれ作動装置に接続されてよい。あるいは、各機械的に可逆変形可能な要素の一端部が作動装置に接続され、他端部はヒンジによって担持部に接続されてもよい。各遮断体の長さは、二つの作動装置間のまたは作動装置とヒンジとの間の各機械的に可逆変形可能な要素の長さに対応する。
【００１９】
本発明の一実施形態によると、各ヒンジは第一位置に対して所定の角度を可能とするよう設計される。これにより、機械的に可逆変形可能な要素が第一位置に対して最大の変形を有する点を調整することができる。例えば、第一位置において通路面に垂直に伸びる長手軸を有する、機械的に可逆変形可能な要素において、ヒンジの最大許容角度を変化させることにより、担持部から最大の距離を有する点の高さを通路面に対して変化させることができる。
【００２０】
各機械的に可逆変形可能な要素の両端部がそれぞれ作動装置に接続され、各機械的に可逆変形可能な要素の長手軸が第一位置において通路面に垂直に伸びる場合、入場管理装置を異なる状況に適応可能とするよう、通路が遮断される同じ距離において二つの作動装置を軸方向に変位することにより高さを調整してもよい。
【００２１】
本発明のさらなる実施形態によると、各機械的に可逆変形可能な要素の一端部はそれぞれ作動装置に、またはヒンジによって担持部に、接続可能であり、他端部はヒンジ状に非弾性要素の一端部に接続され、非弾性要素の他端部は作動装置に接続され、機械的に可逆変形可能な要素の他端部は非弾性要素を介して作動装置に作動接続される。この場合、各遮断体の長さは、各機械的に可逆変形可能な要素の長さに、板ばねとして設計される要素にヒンジ状に接続される非弾性要素の長さを足したものに対応する。
【００２２】
遮断体の各端部は作動装置により、またヒンジを有する場合にはヒンジにより、規定される。
【００２３】
さらに、特に機械的に可逆変形可能な要素が板ばねとして設計されるとき、各機械的に可逆変形可能な要素に接続される作動装置は、機械的に可逆変形可能な要素の各端部が巻き上げられまたは機械的に可逆変形可能な要素の各端部が巻き出される電動ローラであってよく、非弾性要素に接続される各作動装置は、第一位置にある各機械的に可逆変形可能な要素の長手軸に平行な方向に沿って液圧、空気圧、電気または電磁気により軸方向に変位可能な部品である。
【００２４】
好ましくは、遮断体の機械的に可逆変形可能な要素は、ゴム、金属、ガラス繊維強化プラスチック、積層プラスチックまたはその他の弾性素材からなり、人の平均以上の力では不可能なねじり剛性を有する。非弾性要素が具備される場合、金属またはプラスチックからなるのが好ましい。
【００２５】
さらなる実施形態によると、機械的に可逆変形可能な要素は、互いに弾性的または非弾性的にヒンジ状に接続されるよう設計された、同じまたは異なる長さを有する複数の独立した輪からなってよく、機械的に可逆変形可能な要素が第二位置においてとる曲面形状は、それぞれの輪の長さおよび配置によって影響されてよい。該要素が第一位置に対して最大変形をする点は、それぞれの輪の長さおよび配置によって変化する。
【００２６】
機械的に可逆変形可能な要素の第一位置から第二位置への移動は、要素の形状によって支持される。特に、第一位置において、担持部に面した板ばねとして設計される要素の面は、担持部に対して凸状であってよい。さらに、機械的に可逆変形可能な要素の通路に面した面は、担持部に対してわずかに凸状であってよく、つまり、要素は通路の方向にわずかに湾曲している。
【００２７】
本発明のさらなる実施形態の範囲において、例えばＬＥＤ等の照明手段が機械的に可逆変形可能な要素に組み込まれてよい。さらに、機械的に可逆変形可能な要素は、担持部に接続されて第二位置において張架される薄膜に接続されてもよく、薄膜は照らされることが可能であり、例えば広告などを含んでもよい。
【００２８】
本発明のさらなる実施形態によると、機械的に可逆変形可能な要素の通路に対向する面は、全部または一部にパッドを有するよう設計されてもよい。さらに、制御装置に接続される少なくとも一つのセンサを、機械的に可逆変形可能な要素の通路に対向する面に組み込んでもよく、該センサは、第一位置から第二位置へ移行する間に、人または物に対しての、例えば車に対しての、接触または接触が差し迫ったことを検知し、接触を検知した場合、プロセスは中断され少なくとも一つの遮断体は第一位置へ移動される。センサは、例えば、光学または超音波近接センサとして設計される。
【００２９】
さらに、作動装置の電力消費量を継続的に検知してもよく、少なくとも一つの遮断体を第一位置から第二位置へ移動する際に閾値を超えた場合、第二位置に到着する前に、人または物体が少なくとも一つの遮断体に接触したことを検知し、遮断体は第一位置に移動される。
【００３０】
本発明を、添付の図面を参照しつつ例示に基づいてより詳細に説明する。
【図面の簡単な説明】
【００３１】
【図１】図１は、板ばねとして設計される、機械的に可逆変形可能な要素を有する遮断体を含む、本発明に係る入場管理装置の第一実施形態の概略図であり、遮断体は第二位置に位置される。
【図２】図２は、板ばねとして設計される、機械的に可逆変形可能な要素をそれぞれ有する二つの遮断体を含む、本発明に係る入場管理装置の第二実施形態の概略図であり、図の右部分において、遮断体は第二位置にあり、図の左部分において、遮断体は第一位置にある。
【図３】図３は、板ばねとして設計される、機械的に可逆変形可能な要素をそれぞれ有する二つの遮断体を含む、本発明に係る入場管理装置の第三実施形態の概略斜視図であり、各遮断体は第二位置にある。
【図４】図４は、板ばねとして設計される、機械的に可逆変形可能な要素をそれぞれ有する二つの遮断体を含む、本発明に係る入場管理装置の第四実施形態の概略図であり、遮断体は第二位置にある。
【図５】図５は、本発明の実施形態に基づいて設計される遮断体および遮断体を制御するための本発明に係る原理を示す作動装置の概略斜視図である。
【図６】図６は、図２に示す入場管理装置のさらなる展開を示す概略図である。
【図７】図７は、入場管理装置の小型構造を示す、入場管理装置の使用例の図である。
【発明を実施するための形態】
【００３２】
図１に図示される本発明によると、通路２を遮断または開放する、人または車用の入場管理装置１は、担持部４にそれぞれ配置される遮断体３を含み、遮断体３は単一または多層の板ばねとして設計される機械的に可逆変形可能な要素５を有し、要素５の通路２に対向した面は、図１に示す通り、第一位置において実質的に平面状であって通路２を完全に開放し、第二位置において円弧または楕円弧形状を有して人または車の通過を遮断する。この場合、通路２は担持部４と柱６によって規定される。この場合、板ばねとして設計される要素５の長手軸は第一位置において通路面に垂直に伸びる。
【００３３】
図２に示す例において、入場管理装置１は二つの遮断体３、３’を含み、各遮断体は担持部４、４’にそれぞれ配置され、単一または多層の板ばねとして設計される要素５、５’をそれぞれ有し、これによって通路２が規定される。この場合、図２の左に示す第二位置において、通路２は単一または多層の板ばねとして設計される各要素５、５’によって部分的に遮断され、両遮断体３、３’の組み合わせによって通路２における人または車の通行が遮断される。図１の右部分によると、通路は第一位置において完全に開放される。
【００３４】
各板ばね要素５、５’の面法線は、第一位置において、通路面および通路方向に対して垂直に伸びる面に平行に伸びる。図１および２に示す実施形態において、板ばねとして設計される各要素５、５’の面法線は第一位置にある通路面に平行に伸び、板ばねとして設計される要素５、５’の長手軸は第一位置において通路面に対して垂直に伸びる。
【００３５】
図３に示す実施形態は、板ばねとして設計される要素５、５’の長手軸が第一位置において通路面に平行に伸びる点で、図２に示す実施形態と異なる。
【００３６】
図１、２および３に示す実施例において、板ばねとして設計される各要素５、５’の一端部はそれぞれ作動装置７に接続され、作動装置７は各担持部４、４’に接続され制御装置によって制御可能であり、この制御により、板ばねとして設計される各要素５、５’は第一位置から第二位置へおよびその逆へ移動される。他端部はヒンジ８を介して担持部４、４’に接続され、ヒンジ軸は板ばねとして設計される要素５、５’の第一位置における長手軸および面法線に対して垂直に伸びる。
【００３７】
板ばねとして設計される各要素５、５’を第一位置から第二位置へ移動するには、本実施形態によると、図２に示す通り、各遮断体３、３’の端部間の距離が縮小される。図１、２および３に示す例によると、各遮断体３、３’の長さは板ばねとして設計される各要素５、５’の長さに対応する。
【００３８】
図２の右側に示す状態から始まって、各遮断体３、３’の一端部に接続された各作動装置７は、板ばねとして設計される各要素５、５’の第一位置における長手軸に平行な各矢印Ａの方向に向かって軸方向上側に移動され、それによって板ばねとして設計される各要素５、５’はそれぞれ、図２の左側に示す第二位置に到達するよう矢印Ｂによって示される通路方向に湾曲し、通路を遮断する。図２の左側に示す状態から始まって、各作動装置は矢印Ｃの方向に向かって軸方向下側に移動され、それによって板ばねとして設計される各要素５、５’は第一位置に到達するよう矢印Ｄの方向に移動し、通路２を完全に開放する。
【００３９】
各遮断体３、３’の端部同士の間の距離を縮める代わりに、板ばねとして設計される要素５、５’を第一位置から第二位置へ移動するため、遮断体の各端部間に一定の距離を有する状態で各遮断体３、３’の長さを伸ばすことができる。この場合、図５に示す通り、作動装置は電動ローラ９として設計され、そこに板ばねとして設計される要素の各端部が巻き上げられ、またそこから板ばねとして設計される要素の各端部が巻き出される。図５に示す第二位置に到達するため、第一位置から始まって、ローラ９は矢印Ｅの方向に回転され、それにより板ばねとして設計される要素５はローラ９から矢印Ｆの方向に巻き出され、要素５は矢印Ｇの方向に湾曲する。
【００４０】
図４に示す例において、板ばねとして設計される各要素５、５’の一端部はヒンジ８によって担持部４、４’に接続され、他端部は非弾性要素１０の一端部にヒンジ状に接続され、非弾性要素１０の他端部は、遮断体３、３’の端部間の距離を変えるための軸方向に変位可能な作動装置７に接続される。ここにおいて、各遮断体３、３’の長さは、板ばねとして設計される各要素５、５’の長さに、板ばねとして設計される要素５、５’にヒンジ状に接続される非弾性要素１０の長さを足したものに対応する。
【００４１】
図６に示す本発明のさらなる展開によると、各遮断体３は担持部４に接続される薄膜１１に接続可能であり、薄膜１１は第二位置において張架され、そこで薄膜１１は照らされてもよい。
【００４２】
本発明に係る入場管理装置は、機械的に可逆変形可能な要素を使用するという基本原理により非常に小型に構成され、そのためこの入場管理装置は、例えば図７に示すように、ドアに適用可能である。
【００４３】
本発明に係る入場管理装置は、データ媒体に保存された入場許可を読み取るために制御装置に接続された少なくとも一つの読取装置を有する。この読取装置は、好ましくは例えばＢｌｕｅｔｏｏｔｈ  Ｌｏｗ  Ｅｎｅｒｇｙ（ＢＬＥ）やＲＦＩＤ等の無線通信の規格に基づいて、入場許可を非接触で読み取るよう設計される。有効な入場許可がある場合、この例では、少なくとも一つの遮断体が第二位置から第一位置へ移動される。
【００４４】
さらに有利なことに、小型構造を有する本発明に係る入場管理装置を利用して、有効な入場許可を有する場合にバリアフリーな入場を実行可能とする。この場合、入場許可が無効であるか入場許可がない場合、少なくとも一つの遮断体が第一位置から第二位置へ移動される。
【００４５】
本発明のさらなる実施形態によると、通路をそれぞれ異なる高さで遮断するために、複数の遮断体を担持部に対して異なる高さに配置することができる。
【００４６】
本発明に係る入場管理装置は、異なる要求に対応可能なモジュール式のデザインを有する点で有利である。例えば、遮断体は、第二位置における適用に必要な形状または必要なねじり剛性を有するものに交換可能である。
【図１】
2020107326.tif 000003
【図２】
2020107326.tif 000004
【図３】
2020107326.tif 000005
【図４】
2020107326.tif 000006
【図５】
2020107326.tif 000007
【図６】
2020107326.tif 000008
【図７】
2020107326.tif 000009
【外国語明細書】
2020107326000001.pdf